(57)【要約】【課題】本発明は、重要な情報を確実性高く通信するための符号化信号を作成する符号化装置やこれを備える送信装置、また、この符号化信号を復号するための復号化装置やこれを備える受信装置を提供することを目的とする。【解決手段】本発明における符号化装置６ａは、入力される情報を変調するマッピング部６１，６２と、付加マッピング部６３ａと、を備える。付加マッピング部６３ａは、他のマッピング部６１，６２よりも入力される情報のビット数が少ない。そのため、情報を変調して得られる符号化信号の状態を、他のマッピング部６１，６２から出力されるものよりも少なくすることができる。【選択図】図３
2009246609.tif 000002
【特許請求の範囲】
【請求項１】
入力される情報を変調して符号化信号を出力する符号化装置であって、
入力されるｐビットの第１情報を変調して１つの符号化信号を出力するマッピング部と、
ｑビットの前記第１情報と、当該第１情報に比べて重要度が高いｒビットの第２情報と、が入力されるとともに、前記第２情報に基づいて前記第１情報を変調して、符号化信号を出力する付加マッピング部と、
をそれぞれ少なくとも１つ備え、
ｑとｒとの和をｐよりも小さくすることを特徴とする符号化装置。
【請求項２】
前記付加マッピング部が、前記第２情報の差異によって生じさせる符号化信号の位相差を、前記第１情報の差異によって生じさせる位相差よりも大きくすることを特徴とする請求項１に記載の符号化装置。
【請求項３】
前記付加マッピング部が、
前記第１情報及び前記第２情報にｐ−ｑ−ｒビットの第３情報を加え、前記第１情報、前記第２情報及び前記第３情報を合わせてｐビットの情報にする情報挿入部をさらに備えるとともに、
前記付加マッピング部が、前記情報挿入部から出力されるｐビットの情報を変調して、符号化信号を得ることを特徴とする請求項１または請求項２に記載の符号化装置。
【請求項４】
前記付加マッピング部が、前記第２情報を複製して前記第３情報を得る情報複製部をさらに備えることを特徴とする請求項３に記載の符号化装置。
【請求項５】
前記付加マッピング部が、
前記第２情報を変調する第１変調部と、
当該第１変調部から出力される信号に基づいて前記第１情報を変調して、符号化信号を出力する第２変調部と、
を備えることを特徴とする請求項１または請求項２に記載の符号化装置。
【請求項６】
前記付加マッピング部による変調方法をコンステレーション上に表したとき、
隣接する点間の距離が等しい格子状に整列した二つの格子点群が、原点を通る所定の直線が対称軸となるように配置され、前記対称軸に対して垂直かつ原点を通る直線上に前記格子点群のそれぞれの中心が位置するとともに、
前記格子点群中の隣接する点を結んで成る全ての線が、前記対称軸と垂直または平行となることを特徴とする請求項１〜請求項５のいずれかに記載の符号化装置。
【請求項７】
入力される情報を変調する変調機能を備え、当該変調機能によって得られる符号化信号に基づいた信号を送信する送信装置であって、
前記変調機能を実現する符号化部として、請求項１〜請求項６のいずれかに記載の符号化装置を備えることを特徴とする送信装置。
【請求項８】
入力される符号化信号を復調して情報を出力する復号化装置であって、
入力される１つの符号化信号に基づいて、ｐビットの第１情報を出力するデマッピング部と、
入力される１つの符号化信号に基づいて、ｑビットの前記第１情報と、当該第１情報と比べて重要度が高いｒビットの第２情報と、をそれぞれ出力する分離デマッピング部と、
をそれぞれ少なくとも１つ備え、
ｑとｒとの和をｐよりも小さくすることを特徴とする復号化装置。
【請求項９】
前記分離デマッピング部が、
入力される符号化信号に基づいて、ｑビットの前記第１情報と、ｒビットの前記第２情報と、ｐ−ｑ−ｒビットの前記第３情報と、が組み合わされた情報を出力する第１デマッピング部と、
当該第１デマッピング部から出力される情報のうち、前記第１情報と、前記第２情報及び前記第３情報と、を分けて出力する情報抽出部と、
当該情報抽出部から出力される前記第２情報及び前記第３情報から、前記第３情報を削除して前記第２情報を出力する情報削除部と、
をさらに備えることを特徴とする請求項８に記載の復号化装置。
【請求項１０】
前記分離デマッピング部が、
入力される符号化信号に基づいて、ｑビットの前記第１情報と、ｒビットの前記第２情報と、が組み合わされた情報を出力する第２デマッピング部と、
当該第２デマッピング部から出力される情報のうち、前記第１情報と、前記第２情報と、を分けて出力する情報抽出部と、
をさらに備えることを特徴とする請求項８に記載の復号化装置。
【請求項１１】
符号化信号に基づいた信号を受信するとともに、符号化信号を復調する復調機能を備える受信装置であって、
前記復調機能を実現する復号化部として、請求項８〜請求項１０のいずれかに記載の復号化装置を備えることを特徴とする受信装置。
【発明の詳細な説明】
【技術分野】
【０００１】
本発明は、情報を変調して符号化信号を出力する符号化装置やこれを備える送信装置に関する。また、符号化信号を復調して情報を得る復号化装置やこれを備える受信装置に関する。
【背景技術】
【０００２】
近年、テレビジョン放送や移動体通信などの無線通信の様々な分野において、デジタル通信技術が利用されている。例えば、車と車や、車と基地局との間で通信を行うことで、安全性や利便性を高める高度道路交通システム（ＩＴＳ：Intelligent Transport Systems）などにおいても利用されている。また、ＯＦＤＭ（Orthogonal Frequency Division Multiplex）方式で変調した信号を用いて通信を行う方法が、広く利用されている。
【０００３】
また、このようなデジタル通信技術によって通信される信号には、制御情報などの比較的重要度が高い情報と、データ情報などの比較的重要度が低い情報とがある。そのため、これらの情報を伝送する際に、重要度が高い情報がより正確に伝送される構成とすることが好ましい。例えば、非特許文献１には、重要度が高い情報が比較的正確に伝送されるように情報を変調する符号化装置が提案されている。
【０００４】
この符号化装置の構成について図９を用いて説明する。図９は、従来の符号化装置の構成を示すブロック図である。図９に示すように、符号化装置１００は、入力される直列の重要情報を２ビット毎に並列に並び替えるＳ／Ｐ（Serial／Parallel）変換部１０１と、入力される直列の非重要情報を４ビット毎に並列に並び替えるＳ／Ｐ変換部１０２と、Ｓ／Ｐ変換部１０１及びＳ／Ｐ変換部１０２から入力される情報の並び替えを行うとともに２ビットの重要情報と４ビットの非重要情報を１シンボルとして出力するインタリーバ１０３と、インタリーバ１０３から出力されるシンボルを変調して符号化信号を作成するマッピング部１０４と、を備える。
【０００５】
また、図９に示すマッピング部１０４の変調方法について図１０を用いて説明する。図１０は、従来の符号化装置の変調方法について示すコンステレーション（信号点配置図）である。コンステレーションは、変調時に符号化信号が取り得る位相と振幅とを複素平面上に表したものである。Ｉ（In-phase）軸が実数成分、Ｑ（Quadrature-phase）軸が虚数成分をそれぞれ示す。また、このマッピング部１０４は、入力される６ビットのシンボルを６４ＱＡＭ（Quadrature Amplitude Modulation）で変調するものとする。
【０００６】
マッピング部１０４に入力されるシンボルは、図１０に示す６４個のシンボル位置Ｓのいずれかに配置される。このとき、２ビットの重要情報に基づいて、４つの象限中のどの象限のシンボル位置Ｓに割り当てるかを決定する。また、４ビットの非重要情報に基づいて、一つの象限内の１６個のシンボル位置Ｓの中のどのシンボル位置Ｓに割り当てるかを決定し、６４ＱＡＭの変調を実現する。なお、この変調方法を階層的に表現する場合、ＱＰＳＫ（Quadrature Phase Shift Keying）と１６ＱＡＭとを組み合わせた変調方法と表現することができる。
【０００７】
この符号化信号を用いて通信を行うこととすると、復号化装置において符号化信号を復調するときに、受信した信号が属している象限に基づいて重要情報を復調することができる。そのため復調時に、受信した信号のシンボル位置Ｓが誤った位置として認識されることがあったとしても、同じ象限内である限り、シンボル内の重要情報は正確に伝送できたことになる。
【０００８】
【非特許文献１】ＥＴＳＩ  ＴＲ  １０２３７７  Ｖ１．２．１  （２００５−１１）
【発明の開示】
【発明が解決しようとする課題】
【０００９】
しかしながら、復調時にシンボル位置だけでなく象限まで誤って認識されると、重要情報まで誤ったものとして認識されてしまう問題が生じる。特に、上述のＩＴＳに適用する場合、車などの移動体の通信にも用いられるため通信状況が劣悪となりやすい。そのため、重要情報ですら正しく伝送されない場合が容易に生じうる。さらに、重要情報とする情報は、安全性の面で必ず正しく伝送しなければならない情報であることが多いため、可能な限り堅牢な通信方法であることが求められる。
【００１０】
このような問題を鑑みて、本発明は、重要な情報を確実性高く通信するための符号化信号を作成する符号化装置やこれを備える送信装置、また、この符号化信号を復号するための復号化装置やこれを備える受信装置を提供することを目的とする。
【課題を解決するための手段】
【００１１】
上記目的を達成するために、本発明における符号化装置は、入力される情報を変調して符号化信号を出力する符号化装置であって、入力されるｐビットの第１情報を変調して１つの符号化信号を出力するマッピング部と、ｑビットの前記第１情報と、当該第１情報に比べて重要度が高いｒビットの第２情報と、が入力されるとともに、前記第２情報に基づいて前記第１情報を変調して、符号化信号を出力する付加マッピング部と、をそれぞれ少なくとも１つ備え、ｑとｒとの和をｐよりも小さくすることを特徴とする。
【００１２】
また、上記構成の符号化装置において、前記付加マッピング部が、前記第２情報の差異によって生じさせる符号化信号の位相差を、前記第１情報の差異によって生じさせる位相差よりも大きくすることとしても構わない。
【００１３】
このように構成すると、比較的重要な第２情報の差異による位相差が大きくなる。そのため、伝送によって符号化信号の位相が変動してしまっても、第２情報が受信側で正しく復調される可能性を高く保つことが可能となる。即ち、第２情報の伝送中の歪に対する耐性を、第１情報の伝送中の歪に対する耐性よりも高くすることが可能となる。例えば、このような構成として第２情報をＱＰＳＫで変調する場合、第１情報はＢＰＳＫ（Binary Phase Shift Keying）では変調されないこととなる。この場合第１情報は、８ＰＳＫ（8 Phase Shift Keying）や、１６ＱＡＭなどで変調されることとなる。
【００１４】
また、上記構成の符号化装置において、前記付加マッピング部が、前記第１情報及び前記第２情報にｐ−ｑ−ｒビットの第３情報を加え、前記第１情報、前記第２情報及び前記第３情報を合わせてｐビットの情報にする情報挿入部をさらに備えるとともに、前記付加マッピング部が、前記情報挿入部から出力されるｐビットの情報を変調して、符号化信号を出力することとしても構わない。
【００１５】
このように構成すると、マッピング部と、付加マッピング部とがともにｐビットの情報を変調することとなる。そのため、同じ変調方法で変調する構成とすることが可能となる。したがって、符号化装置の構成が複雑化することを抑制することが可能となる。
【００１６】
また、上記構成の符号化装置において、前記付加マッピング部が、前記第２情報を複製して前記第３情報を得る情報複製部をさらに備えることとしても構わない。このように構成すると、容易に第３情報を得ることが可能となる。
【００１７】
また、上記構成の符号化装置において、前記付加マッピング部が、前記第２情報を変調する第１変調部と、当該第１変調部から出力される信号に基づいて前記第１情報を変調して、符号化信号を出力する第２変調部と、を備えることとしても構わない。
【００１８】
このように構成すると、足りないビットを補うことなく、簡易な方法で他のマッピング部と同様の変調を行うことが可能となる。したがって、符号化装置の構成が複雑化することを抑制することが可能となる。
【００１９】
また、上記構成の符号化装置において、前記付加マッピング部による変調方法をコンステレーション上に表したとき、隣接する点間の距離が等しい格子状に整列した二つの格子点群が、原点を通る所定の直線が対称軸となるように配置され、前記対称軸に対して垂直かつ原点を通る直線上に前記格子点群のそれぞれの中心が位置するとともに、前記格子点群中の隣接する点を結んで成る全ての線が、前記対称軸と垂直または平行となることとしても構わない。
【００２０】
このように構成すると、格子点の中心、即ち平均電力を一定とした場合に、原点と原点に最も近い点との距離を、少なくとも格子点群中の隣接する点を結んで成る全ての線が対称軸と４５°の角度を成す場合よりも大きくすることが可能となる。さらに、格子の中心に点がない場合、この配置方法とすることで、原点と原点に最も近い点との距離を最大にすることができる。したがって、最小の電力となる符号化信号の電力を大きくすることが可能となるため、誤りをより抑制することが可能となる。また、第２情報に基づいて格子群の位置が決定される場合、対称軸をＱ軸とすると好ましい。この場合、ＢＰＳＫで変調した場合と同様となり、実数成分の正負で第２情報を復調することができる。そのため、受信側での復調処理が複雑になることを抑制することが可能となる。
【００２１】
また、本発明の送信装置は、入力される情報を変調する変調機能を備え、当該変調機能によって得られる符号化信号に基づいた信号を送信する送信装置であって、前記変調機能を実現する符号化部として、上記の符号化装置を備えることを特徴とする。
【００２２】
また、本発明の復号化装置は、入力される符号化信号を復調して情報を出力する復号化装置であって、入力される１つの符号化信号に基づいて、ｐビットの第１情報を出力するデマッピング部と、入力される１つの符号化信号に基づいて、ｑビットの前記第１情報と、当該第１情報と比べて重要度が高いｒビットの第２情報と、をそれぞれ出力する分離デマッピング部と、をそれぞれ少なくとも１つ備え、ｑとｒとの和をｐよりも小さくすることを特徴とする。
【００２３】
また、上記構成の復号化装置において、前記分離デマッピング部が、入力される符号化信号に基づいて、ｑビットの前記第１情報と、ｒビットの前記第２情報と、ｐ−ｑ−ｒビットの前記第３情報と、が組み合わされた情報を出力する第１デマッピング部と、当該第１デマッピング部から出力される情報のうち、前記第１情報と、前記第２情報及び前記第３情報と、を分けて出力する情報抽出部と、当該情報抽出部から出力される前記第２情報及び前記第３情報から、前記第３情報を削除して前記第２情報を出力する情報削除部と、をさらに備えることとしても構わない。
【００２４】
このように構成すると、第１デマッピング部から出力される情報がｐビットとなるため、他のデマッピング部と同じものとなる。そのため、他のデマッピング部と同様の復調方法で復調する構成とすることが可能となる。したがって、復号化装置の構成が複雑化することを抑制することが可能となる。
【００２５】
また、上記構成の復号化装置において、前記分離デマッピング部が、入力される符号化信号に基づいて、ｑビットの前記第１情報と、ｒビットの前記第２情報と、が組み合わされた情報を出力する第２デマッピング部と、当該第２デマッピング部から出力される情報のうち、前記第１情報と、前記第２情報と、を分けて出力する情報抽出部と、をさらに備えることとしても構わない。
【００２６】
このように構成すると、一度の復調によって必要な情報である第１情報と第２情報とを得ることが可能になる。そのため、不要な情報を削除する必要などが無くなる。したがって、復号化装置が複雑化することを抑制することが可能となる。
【００２７】
また、本発明の受信装置は、符号化信号に基づいた信号を受信するとともに、符号化信号を復調する復調機能を備える受信装置であって、前記復調機能を実現する復号化部として、上記の復号化装置を備えることを特徴とする。
【発明の効果】
【００２８】
本発明によると、第１情報を変調するマッピング部に入力される情報のビット数より、第２情報に基づいて第１情報を変調する付加マッピング部に入力される情報のビット数の方を、少なくする構成となる。そのため、付加マッピング部から出力される符号化信号の取り得る状態を、マッピング部から出力される符号化信号の取り得る状態よりも少なくすることが可能となる。したがって、重要度の高い第２情報を安定して通信することが可能となる。
【発明を実施するための最良の形態】
【００２９】
最初に、本発明の実施形態における送信装置と受信装置とについてそれぞれ説明する。その後、送信装置に備えられる符号化部（符号化装置）と、受信装置に備えられる復号化部（復号化装置）と、についてそれぞれ説明する。また、以下では、制御情報を重要度の高い情報の例とし、データ情報を重要度の低い情報の例として挙げ、これらを用いてそれぞれの構成及び動作を説明することとする。なお、重要度とは、確実な伝送を行うことが要求される程度を示し、以下の実施形態においては、重要度が高い情報ほど伝送中の歪に対する耐性が高くなるように設定されることとする。
【００３０】
＜送信装置＞
まず、本発明の実施形態における送信装置の構成について図面を参照して説明する。図１は、本発明の実施形態における送信装置の構成を示すブロック図である。
【００３１】
図１に示すように、送信装置１は、入力されるデータ情報を所定の方法で暗号化するスクランブラ２ａと、同様に制御情報を暗号化するスクランブラ２ｂと、スクランブラ２ａから出力される情報に受信側で誤り訂正を行うための冗長性を付与するＦＥＣ（Forward Error Correction）符号化部３ａと、同様にスクランブラ２ｂから出力される情報に冗長性を付与するＦＥＣ符号化部３ｂと、ＦＥＣ符号化部３ａから出力される情報の並び替えを行うインタリーバ４ａと、同様にＦＥＣ符号化部３ｂから出力される情報の並び替えを行うインタリーバ４ｂと、インタリーバ４ａから出力される直列の情報を並列に並び替えるＳ／Ｐ変換部５と、Ｓ／Ｐ変換部５から並列となり出力される複数の情報の一部にインタリーバ４ｂから出力される情報を多重するとともに変調して周波数が異なる複数の符号化信号を作成する符号化部６と、符号化部６から出力される複数の符号化信号を逆高速フーリエ変換（ＩＦＦＴ：Inverse Fast Fourier Transform）してベースバンド信号として出力するＩＦＦＴ部７と、ＩＦＦＴ部７から出力されるベースバンド信号にガードインターバル（ＧＩ：Guard Interval）を付加するＧＩ付加部８と、ＧＩ付加部８から出力されるデジタルのベースバンド信号をアナログに変換するＤ／Ａ変換部９と、Ｄ／Ａ変換部９から出力されるベースバンド信号を伝送信号に変換するとともに増幅などの処理を行う送信部１０と、送信部１０から出力される伝送信号を送信するアンテナ１１と、を備える。
【００３２】
スクランブラ２ａ，２ｂは、入力されるデータ情報及び制御情報を、それぞれ所定の方法で暗号化する。例えば秘密鍵方式で暗号化する場合、擬似乱数を生成するとともに、擬似乱数とデータ情報または制御情報とで排他的論理和をとり、その結果を出力することとしても構わない。このように暗号化を行い、伝送中に第三者によって情報が取得されることを防止する。
【００３３】
スクランブラ２ａ，２ｂから出力されるデータ情報及び制御情報は、それぞれＦＥＣ符号化部３ａ，３ｂに入力され、冗長化される。例えば、所定のサイズのブロック（パケット）を符号化するブロック符号化と、任意のサイズの情報を符号化する畳み込み符号化と、が入力される情報に施される。ブロック符号化として、リード・ソロモン符号化やハミング符号化を用いることができる。また、畳み込み符号化としてビタビ符号化を用いることができる。
【００３４】
ＦＥＣ符号化部３ａ，３ｂから出力されるデータ情報及び制御情報は、それぞれインタリーバ４ａ，４ｂに入力され、情報の並び替えが行われる。ここでは特に、ビット単位での並び替えが行われる。これにより、伝送路の影響で誤りが生じたとしても誤り位置を分散させることが可能となるため、受信側で効果的な誤り訂正を行うことが可能となる。
【００３５】
インタリーバ４ａから出力されるデータ情報はＳ／Ｐ変換部５に入力され、直列の情報から並列の情報へと変換されて符号化部６に出力される。符号化部６では、Ｓ／Ｐ変換部５から入力されるデータ情報の他に、インタリーバ４ｂから制御情報が入力される。そして、符号化部６でデータ情報及び制御情報が変調されて、複数の符号化信号が生成される。なお、符号化部６の構成及び動作の詳細については後述する。
【００３６】
ＯＦＤＭ方式で変調する場合、符号化部６で生成される複数の符号化信号は、それぞれ周波数が異なるとともに直交したものとなる。ＩＦＦＴ部７は、これらの直交した周波数を有するそれぞれの符号化信号に対してＩＦＦＴを行い、一つのベースバンド信号として出力する。
【００３７】
ＩＦＦＴ部７から出力されるベースバンド信号は、ＧＩ付加部８に入力されてＧＩが付加される。ＧＩは、所定の時間間隔（１つのシンボル）毎に付加される。特に、シンボル後部の所定部分（例えば、シンボル長の１／８や１／１６など）がコピーされ、シンボルの先頭に付加される。これにより、複数の異なる経路で伝送される、いわゆるマルチパスが発生して、それぞれの経路から時間的にずれた信号が受信装置に入力されることになったとしても、ずれの大きさがＧＩの大きさより小さい限り、シンボル間の干渉を防ぐことができる。
【００３８】
ＧＩ付加部８から出力されるベースバンド信号は、Ｄ／Ａ変換部９に入力されてアナログの信号に変換される。そして、アナログの信号に変換されたベースバンド信号は、送信部１０に入力される。送信部１０では、Ｉ成分とＱ成分とを有するベースバンド信号を送信に適した周波数に変換する直交変調や、信号の強度の調整などが行われ、これらの処理を施すことによって伝送信号が生成される。生成された伝送信号はアンテナ１１を介して空中へと放射される。
【００３９】
＜受信装置＞
次に、本発明の実施形態における受信装置の構成について図面を参照して説明する。図２は、本発明の実施形態における受信装置の構成を示すブロック図である。
【００４０】
図２に示すように、受信装置２０は、送信装置１から放射される伝送信号を受信するアンテナ２１と、アンテナ２１から出力される伝送信号をベースバンド信号に変換するとともに増幅などの処理を行う受信部２２と、受信部２２から出力されるアナログのベースバンド信号をデジタルに変換するＡ／Ｄ変換部２３と、ベースバンド信号に付加されているＧＩを除去するＧＩ除去部２４と、ＧＩ除去部２４から出力されるベースバンド信号を高速フーリエ変換（ＦＦＴ：Fast Fourier Transform）して周波数が異なる複数の符号化信号として出力するＦＦＴ部２５と、ＦＦＴ部２５から出力される複数の符号化信号を復調して並列となる複数の情報を出力する復号化部２６と、復号化部２６から出力される並列の複数の情報を並び替えて直列の情報とするＰ／Ｓ変換部２７と、Ｐ／Ｓ変換部２７から出力される直列の情報を並び替えるデインタリーバと２８ａと、復号化部２６から出力される情報の一部が入力されるとともにその情報の並び替えを行うデインタリーバ２８ｂと、デインタリーバ２８ａから出力される情報の誤り訂正を行う誤り訂正部２９ａと、同様にデインタリーバ２８ｂから出力される情報の誤り訂正を行う誤り訂正部２９ｂと、誤り訂正部２９ａから出力される暗号化された情報を所定の方法で復号化してデータ情報を出力するデスクランブラ３０ａと、同様に誤り訂正部２９ｂから出力される情報を復号化して制御情報を出力するデスクランブラ３０ｂと、を備える。
【００４１】
受信部２２は、アンテナ２１を介して受信した伝送信号を周波数変換してＩ成分とＱ成分とを有するベースバンド信号を得る直交復調や、信号の強度の調整などを行う。そして、受信部２２から出力されるアナログのベースバンド信号は、Ａ／Ｄ変換部２３に入力されてデジタルの信号に変換される。
【００４２】
Ａ／Ｄ変換部２３から出力されるデジタルのベースバンド信号は、ＧＩ除去部２４に入力される。ＧＩ除去部２４は、図１に示した送信装置１のＧＩ付加部８によってベースバンド信号に付加されたＧＩを除去する。
【００４３】
ＧＩ除去部２４でＧＩが除去されたベースバンド信号は、ＦＦＴ部２５で周波数軸の信号へと変換される。そして、それぞれ異なるとともに直交する周波数を有する複数の符号化信号として出力される。
【００４４】
復号化部２６は、入力される複数の符号化信号を復調して複数の情報を得る。ここで得られる情報には、上述のようにデータ情報と制御情報とが含まれる。そのため、復号化部２６は、データ情報と制御情報とを分けて出力する。なお、復号化部２６の構成及び動作の詳細については後述する。
【００４５】
復号化部２６から出力されるデータ情報は、Ｐ／Ｓ変換部２７に入力されて並列の情報から直列の情報へと変換される。また、出力される直列のデータ情報は、デインタリーバ２８ａに入力される。ここでは、図１の送信装置１におけるインタリーバ４ａとは逆の方法となる並べ替えが行われる。即ち、デインタリーバ２８ａは、インタリーバ４ａで並び替えられた情報を、並び替えられる前の状態に戻すような並べ替えを行う。デインタリーバ２８ｂも同様であり、復号化部２６から出力される制御情報に対して、インタリーバ４ｂとはちょうど逆となる方法で並び替えを行う。
【００４６】
デインタリーバ２８ａ，２８ｂから出力されるデータ情報及び制御情報は、それぞれ誤り訂正部２９ａ，２９ｂに入力されて誤り訂正が行われる。このとき、図１のＦＥＣ符号化部３ａ，３ｂで付加された冗長性に基づいた復号が行われ、これにより伝送によって生じた情報の誤りが訂正される。
【００４７】
誤り訂正部２９ａ，２９ｂから出力されるデータ情報及び制御情報は、それぞれデスクランブラ３０ａ，３０ｂに入力されて復号化される。このとき、図１のスクランブラ２ａ，２ｂにおいて暗号化されたデータ情報及び制御情報が復号化される。また、これによって、図１の送信装置１に入力されたデータ情報及び制御情報が、受信装置２０を介して得られたことになる。
【００４８】
以上説明した図１の送信装置１及び図２の受信装置２０は一例に過ぎず、適宜構成を変更しても構わない。例えば、送信装置１において、制御情報がインタリーバ４ｂから符号化部６に直列で入力されることとしているが、並列で入力させても構わない。この場合、インタリーバ４ｂと符号化部６との間にＳ／Ｐ変換部を備える構成としても構わない。さらに、受信装置２０においても同様であり、復号化部２６とデインタリーバ２８ｂとの間に、Ｐ／Ｓ変換部を備えることとしても構わない。
【００４９】
また、送信装置１において、インタリーバ４ａ，４ｂがビットインタリーブを行うこととしたが、これに代えて（または加えて）、符号化部６でシンボル毎の並び替えであるシンボルインタリーブを行っても構わない。さらに、複数のシンボル毎に入れ替えを行う時間インタリーブや、変調時の周波数の高低を入れ替える周波数インタリーブなど、どのような入れ替えを行っても構わない。ただし、受信装置２０が、入れ替えられた情報を、入れ替える前の状態に戻すことができる構成を備えることとする。
【００５０】
また、送信装置１において、符号化部６とＩＦＦＴ部７との間に、所定の信号強度となるパイロット信号を挿入する構成を備えても構わない。そして、受信装置２０のＦＦＴ部２５と復号化部２６との間に、パイロット信号に基づいて伝送路による歪を補正する等化処理を行う構成を備えることとしても構わない。
【００５１】
＜符号化部＞
本発明の符号化装置（符号化部）は、重要度が低い第１情報（例えば、データ情報）と、重要度が高い第２情報（例えば、制御情報）と、が入力されるとともに、これらの情報を変調して符号化信号を出力する。特に、第１情報及び第２情報が入力されるとともに、第２情報に基づいて第１情報を変調して符号化信号を出力する付加マッピング部を備える。この付加マッピング部は、入力される第２情報のビットの状態を第１情報の変調に反映させる。即ち、付加マッピング部に入力される第１情報のビットの状態が同じであったとしても、第２情報のビットの状態が異なれば、出力される符号化信号は異なるものとなる。
【００５２】
付加マッピング部の変調方法の具体例について、以下の符号化部の各実施例を用いて説明する。特に、第２情報のビットの状態を第１情報の変調時に用いる直接的な方法（第１実施例）と、第２情報のビットの状態に応じて変調した信号を第１情報の変調時に用いる間接的な方法（第２実施例）と、について、それぞれ１例ずつ挙げて説明する。
【００５３】
［第１実施例］
図１の送信装置１に備えられる符号化部６の第１実施例について図面を参照して説明する。図３は、本発明の実施形態における送信装置に備えられる符号化部の第１実施例の構成を示すブロック図である。また、図４は、本発明の実施形態における符号化部の変調方法について示すコンステレーションである。なお、以下では図１に示したＳ／Ｐ変換部５が、３つの情報を並列的に出力するとともに、一つのシンボルが４ビットで構成される場合を例に挙げて説明する。
【００５４】
図３に示すように、本例の符号化部６ａは、Ｓ／Ｐ変換部５から出力される情報を所定のビット数（シンボル）毎に変調するマッピング部６１，６２と、Ｓ／Ｐ変換部５から出力される情報にインタリーバ４ｂから出力される情報を加えて変調する付加マッピング部６３ａと、を備える。
【００５５】
付加マッピング部６３ａは、インタリーバ４ｂから出力される情報を複製する情報複製部６４と、Ｓ／Ｐ変換部５から出力される情報に情報複製部６４から出力される情報を組み合わせて一つのシンボルを形成する情報挿入部６５と、情報挿入部６５から出力される情報を変調するマッピング部６６と、を備える。
【００５６】
次に、本例の符号化部６ａの動作について説明する。また、具体例として、インタリーバ４ａからＳ／Ｐ変換部５に、直列となるデータ情報「１１０１０１０１０１」が入力され、インタリーバ４ｂから、制御情報「０」が出力される場合について説明する。
【００５７】
また、Ｓ／Ｐ変換部５は、入力される１０ビットの直列のデータ情報の１，３，６，８番目のビット「１０１１」をマッピング部６１に出力し、２，４，７，９番目のビット「１１００」をマッピング部６２に入力し、５，１０番目のビット「０１」を付加マッピング部６３ａに入力することとする。
【００５８】
マッピング部６１，６２では、Ｓ／Ｐ変換部５から出力される４ビットの情報を一つのシンボルとして変調する。例えば、４値の情報の変調方法の一つである１６ＱＡＭなどの変調方法によって変調する。図４（ａ）に、マッピング部６１，６２が１６ＱＡＭで変調する場合のコンステレーションを示す。１６ＱＡＭで変調することとすると、一つの象限が４点、全体で１６点となるシンボル位置Ｓの中から、４ビットの情報に応じた一つのシンボル位置Ｓが選択されることとなる。
【００５９】
一方、付加マッピング部６３ａには、Ｓ／Ｐ変換部５から２ビットの情報「０１」が出力される。また、インタリーバ４ｂから１ビットの情報「０」が出力される。インタリーバ４ｂから出力される１ビットの情報「０」は、情報複製部６４に入力されて同じ情報「０」が追加される。そのため、実質的には１ビット（２通りしか取り得ない）であるが、見かけ上２ビットの情報「００」が得られる。この情報「００」は情報挿入部６５に入力され、ここでＳ／Ｐ変換部５から出力された情報「０１」と組み合わせられる。例えば、情報複製部６４から出力される情報が、Ｓ／Ｐ変換部５から出力される情報の前に付加される構成とすると、情報挿入部６５から出力される情報は「０００１」となる。
【００６０】
以上の動作により、情報挿入部６５から４ビットの情報「０００１」が出力されることとなる。ただし、本例では情報複製部６４が制御情報の複製を行うため、情報挿入部６５から出力される情報は見かけ上４ビットであるが、実質的には３ビットとなるため所定の状態を取り得ないこととなる。具体的には、情報複製部６４から「０１」及び「１０」が出力されることがないため、情報挿入部６５から「０１ＸＸ」及び「１０ＸＸ」が出力されず、これらの状態にはならないこととなる（Ｘは０または１の任意の数）。
【００６１】
情報挿入部６５から４ビットの情報が入力されるマッピング部６６は、例えばマッピング部６１，６２と同様の１６ＱＡＭで変調を行う。この場合のコンステレーションを図４（ｂ）に示す。図４（ｂ）に示すように、重要な情報である見かけ上２ビット（実質的に１ビット）の制御情報に基づいて、図４（ｂ）上におけるシンボル位置Ｓの属する象限を決定する。そして、制御情報に基づいて決定された象限内の４点のうち、いずれのシンボル位置Ｓとするかをデータ情報に基づいて決定する。
【００６２】
マッピング部６６がこのように変調することとすると、制御情報が実質的に１ビットであるため、取り得る象限が２つに限られる。図４（ｂ）に示す例では、Ｉ成分が負でありＱ成分が正である第２象限、Ｉ成分が正でありＱ成分が負である第４象限に、変調後の信号が配置されないこととなる。
【００６３】
以上のように符号化部６ａを構成し、重要な情報である制御情報を送信することとすると、伝送路が劣悪であったとしても、制御情報を良好に通信することが可能となる。特に、図４（ｂ）に示すようにシンボル位置Ｓが取り得ない範囲（第２象限及び第４象限）を設定するため、伝送路が劣悪で受信側でこれらの象限内にシンボル位置Ｓがあると認識される場合に、正しいシンボル位置Ｓを求め直したり、誤りであると確認したりすることができる。そのため、受信側で制御情報が誤認識されることを抑制することが可能となる。
【００６４】
さらに、本例ではマッピング部６１，６２，６６で行われる変調方法を、全て同じ変調方法にすることができる。そのため、符号化部６ａの構成、ひいては送信装置１の構成が複雑化することを抑制することが可能となる。
【００６５】
なお、上述した例では制御情報を複製することとしたが、「０」または「１」の所定のビットを追加する構成としても構わない。このような構成としても、実質的なビット数を増加させずに見かけ上のビット数を増加させることができるため、同様の効果を得ることができる。ただし、図４（ｂ）に示す例のように、変調によって原点対称となる象限にシンボルを配置可能とする構成にすると、配置可能な象限に隣接するそれぞれの象限を配置不能とすることが可能となる。したがって、位相がずれて隣接する象限に入り込むことにより誤認が生じることを、効果的に抑制することが可能となる。
【００６６】
また、マッピング部６６において、図５（ａ）に示すように変調しても構わない。図５は、本発明の実施形態における符号化部の変調方法の別例について示すコンステレーションである。図５（ａ）に示す変調方法は、図４（ｂ）に示した変調方法とほぼ同様であるが、配置を変更したものとなる。特に、図４（ｂ）で第１象限及び第３象限に配置されている４点のシンボル位置Ｓを、それぞれ４点の中心がＩ軸上となるように配置することとする。
【００６７】
即ち、中心をＩ軸上として、Ｑ軸対称となる格子状（正方形）に、シンボル位置Ｓが配置されることとなる。また、それぞれの格子の隣接する点を結んで成るそれぞれの線は、Ｑ軸に対して垂直または平行となる。一方、図４（ｂ）の配置では、格子の隣接する点を結んで成る全ての線が対称軸と４５°の角度を成すこととなる。
【００６８】
このように変調することとすると、図４（ｂ）に示す変調方法よりも誤りを抑制することが可能となる。これについて図５を用いて説明する。図５（ｂ）は図４（ｂ）と同様の変調方法について示したコンステレーションであり、図５（ａ）に示す変調方法と比較するために示すものである。また、図５中の破線Ｐは、格子状の４点のシンボル位置Ｓの平均電力を示すものとする。また、図５（ａ），（ｂ）は、平均電力Ｐが等しい場合について示している。また、隣接するシンボル位置Ｓ間の距離をｔ、平均電力Ｐの半径をｕとする。
【００６９】
図５（ｂ）に示す変調方法では、原点に最も近いシンボル位置Ｓと原点との距離が、ｕ−（２1/2／２）×ｔとなる。一方、図５（ａ）に示す変調方法では、原点に最も近いシンボル位置Ｓと原点との距離が、ｕ−ｔ／２，ｔ／２を二辺とする直角三角形の斜辺の長さとなる。そして、斜辺はｕ−ｔ／２より長く、ｕ−ｔ／２＞ｕ−（２1/2／２）×ｔとなる。そのため、図５（ａ）における原点に最も近いシンボル位置Ｓの電力の方が、図５（ｂ）のそれよりも大きくなる。したがって、図５（ａ）に示す変調方法の方が、電力が最小となる符号化信号の電力を大きくすることができるため、誤りをより抑制することが可能となる。
【００７０】
なお、格子の中心にシンボル位置Ｓが配置されない場合、図５（ａ）に示す配置方法とすることによって、原点に最も近いシンボル位置Ｓと原点との距離を最大にすることが可能となる。また、図５（ａ）のシンボル位置ＳはＱ軸対称となるが、Ｑ軸対称としなくても構わない。例えば、Ｉ軸を対称軸としても構わない。ただし、Ｑ軸対称とすると、ＢＰＳＫで変調した場合と同様に実数成分の正負に基づいて制御情報を復調することができる。そのため、受信側の復調処理が複雑になることを抑制することができるため好ましい。
【００７１】
［第２実施例］
また、図１の送信装置１に備えられる符号化部６の第２実施例について図面を参照して説明する。図６は、本発明の実施形態における送信装置に備えられる符号化部の第２実施例の構成を示すブロック図であり、第１実施例について示した図３に相当するものである。なお、図３と同様の部分については同じ符号を付し、その詳細な説明については省略する。また、具体例として示す情報についても図３と同様のものとしている。
【００７２】
本例は、第１実施例と付加マッピング部６３ｂの構成のみが異なり、他の構成については同様のものとなる。そのため、主に付加マッピング部６３ｂについて説明する。付加マッピング部６３ｂは、インタリーバ４ｂから入力される情報を変調する第１変調部６７と、第１変調部６７から入力される信号に基づいてＳ／Ｐ変換部５から入力される情報を変調する第２変調部６８と、を備える。
【００７３】
第１変調部６７は、インタリーバ４ｂから入力される１ビットの制御情報「０」に対して、例えばＢＰＳＫなどの１ビットの情報に対する変調方法で変調を行う。この第１変調部４７から出力される信号は、第２変調部６８に入力される。そして、第２変調部６８が、第１変調部６７から出力される信号に基づいて、Ｓ／Ｐ変換部５から入力される２ビットの情報「０１」を変調する。
【００７４】
第２変調部６８から出力される信号は、第１実施例と同様のものとすることができる。即ち、図５（ａ），（ｂ）に示すような信号点配置とすることができる。そのため、第１実施例と同様の効果を得ることが可能となる。即ち、シンボル位置Ｓが取り得ない範囲を作ることで、受信側で制御情報が誤認識されることを抑制することが可能となる。
【００７５】
また、このような構成とすることによって、制御情報のビットを複製したり挿入したりする装置が不要となる。そのため、符号化部６ｂの構成、ひいては送信装置１の構成が複雑化することを抑制することが可能となる。
【００７６】
なお、第１及び第２実施例の符号化部６ａ，６ｂについて、Ｓ／Ｐ変換部５から並列的に出力される情報（多重化される符号化信号の数）が３つであり、この中の１つに制御情報が挿入される構成を例に挙げて説明したが、本発明はこの例に限られるものではない。並列的に出力される情報がｎ個であり、その中のｍ個に制御情報を挿入する構成であれば、どのような構成としても構わない（ただし、ｎ，ｍは自然数であり、ｎ＞ｍを満たすこととする）。
【００７７】
また、第１及び第２実施例の符号化部６ａ，６ｂについて、マッピング部６１，６２に入力される情報が４ビットであり、付加マッピング部６３ａ，６３ｂに入力される情報が３ビットである構成を例に挙げて説明したが、本発明はこの例に限られるものではない。即ち、マッピング部６１，６２に入力される情報がｐビットであり、付加マッピング部６３ａ，６３ｂに入力される情報がｐビットより少なくなる構成であれば、制御情報を良好に伝送することができる効果を得ることができる。
【００７８】
さらに、第１実施例の符号化部６ａに備えられる付加マッピング部６３ａにおいて、データ情報がｑビット、制御情報がｒビット、追加されるデータがｐ−ｑ−ｒビットであればどのような構成としても構わない（ただし、ｐ，ｑ，ｒは自然数であり、ｐ−ｑ−ｒ＞０を満たすこととする）。
【００７９】
また、比較的重要である情報（制御情報）の差異によって生じる符号化信号（コンステレーション上のシンボル位置Ｓ）の位相差が、比較的重要ではない情報（データ情報）の差異によって生じるシンボル位置Ｓの位相差より大きいものとすると好ましい。例えば、比較的重要である情報の差異によって、π／２以上の位相差が生じることとしても構わない。また、第１実施例の符号化部６ａに備えられる付加マッピング部６３ａにおいて、比較的重要な情報である情報を最も確実に送信する場合、図３に示す例のようにｒ＝１とすると好ましい。
【００８０】
また、変調方法について、ＱＰＳＫ、１６ＱＡＭ（軸を挟んで隣接するシンボル位置の間隔と、同じ象限内で隣接するシンボル位置の間隔とを等しくしない場合、いわゆるnon-uniformの場合を含む）、６４ＱＡＭ（non-uniformの場合を含む）など、どのような方法を用いても構わない。
【００８１】
＜復号化部＞
本発明の復号化装置（復号化部）は、入力される符号化信号を復調して、重要度が低い第１情報（例えば、データ情報）と、重要度が高い第２情報（例えば、制御情報）と、をそれぞれ出力する。特に、入力される符号化信号に基づいて、第１情報及び第２情報をそれぞれ出力する分離デマッピング部を備える。この分離デマッピング部に入力される符号化信号は、上述の付加マッピング部から出力される符号化信号である。即ち、第２情報のビットの状態が第１情報の変調時に反映されて作成された信号である。
【００８２】
分離デマッピング部の復調方法の具体例について、以下の復号化部の各実施例を用いて説明する。特に、符号化信号を復調して得られる情報（または信号）をさらに加工して第１情報及び第２情報を得る間接的な方法（第１実施例）と、符号化信号を復調して第１情報及び第２情報を得る直接的な方法（第２実施例）と、について、それぞれ１例ずつ挙げて説明する。
【００８３】
［第１実施例］
図２の受信装置２０に備えられる復号化部２６について図面を参照して説明する。図７は、本発明の実施形態における受信装置に備えられる復号化部の構成を示すブロック図である。なお、上述した符号化部６における説明と同様に、３つの符号化信号が多重されて送信されるとともに、一つのシンボルが４ビットで構成される場合を例に挙げて説明する。また、本例では、図４（ａ），（ｂ）に示した変調方法で変調された符号化信号が入力されるものとする。
【００８４】
図７に示すように、本例の復号化部２６ａは、ＦＦＴ部２５から出力されるそれぞれの符号化信号を復調して所定のビット数（シンボル）の情報を得てＰ／Ｓ変換部２７に出力するデマッピング部２６１，２６２と、ＦＦＴ部２５から出力される符号化信号を復調してＰ／Ｓ変換部２７とデインタリーバ２８ｂとに情報を分離して出力する分離デマッピング部２６３ａと、を備える。
【００８５】
分離デマッピング部２６３ａは、ＦＦＴ部２５から出力される符号化信号を復調する第１デマッピング部２６４と、第１デマッピング部２６４から出力される情報から制御情報とデータ情報とを分けて出力する情報抽出部２６５と、情報抽出部２６５から出力される制御情報の一部を削除する情報削除部２６６と、を備える。
【００８６】
次に、本例の復号化部２６ａの動作について説明する。また、具体例として、上述した符号化部６ａ，６ｂの説明に用いた情報を変調した符号化信号が、本例の復号化部２６ａに入力される場合について説明する。
【００８７】
デマッピング部２６１，２６２は、ＦＦＴ部２５から出力される符号化信号を復調する。このとき、デマッピング部２６１，２６２は、上述した符号化部６ａ，６ｂのマッピング部６１、６２で行われる変調方法に応じた方法で復調を行う。即ち、マッピング部６１，６２が上述のように１６ＱＡＭで変調をしている場合、デマッピング部２６１，２６２は、入力される符号化信号が図４（ａ）に示すいずれのシンボル位置Ｓに相当するかを決定することによって復調を行う。そして、得られるシンボル位置Ｓに対応するビットをＰ／Ｓ変換部２７に出力する。
【００８８】
一方、分離デマッピング部２６３ａの第１デマッピング部２６４も、上述のデマッピング部２６１，２６２と同様の復調を行う。ただし、第１デマッピング部２６４から得られる情報には、制御情報「００」と、データ情報「０１」とが含まれることとなる。この第１デマッピング部２６４から出力される情報は、情報抽出部２６５に入力されてデータ情報と制御情報とに分離される。そして、制御情報「００」が情報削除部２６６に出力され、データ情報「０１」がＰ／Ｓ変換部２７に出力される。
【００８９】
Ｐ／Ｓ変換部２７では、デマッピング部２６１，２６２から出力されるデータ情報「１０１１」、「１１００」と、情報抽出部２６５から出力されるデータ情報「０１」と、を合わせて、直列のデータ情報「１１０１０１０１０１」を得る。組み合わせを行う方法は、送信装置１のＳ／Ｐ変換部５と逆の方法になるものとする。
【００９０】
また、情報削除部２６６では、入力される制御情報のうち、不要である一方のビットを削除する。上述のように、符号化信号は、見かけ上４ビットの変調方法で変調した信号であるが、実質的には３ビットの情報を変調したものである。そのため、復調して得られるビットのうち１つを削除する。そして、情報削除部２６６から出力される制御情報「０」が、デインタリーバ２８ｂに入力される。
【００９１】
以上のように復号化部２６ａを構成し、重要な情報である制御情報を受信することとすると、伝送路が劣悪であったとしても、制御情報を良好に通信することが可能となる。特に、図４（ｂ）に示したように、シンボル位置Ｓが取ることができない範囲（第２象限及び第４象限）が存在するため、伝送路が劣悪でこれらの範囲内にシンボル位置Ｓが入るような場合に、第１デマッピング部２６４やその後段における処理で、正しいシンボル位置Ｓを求め直したり、誤りであると確認したりすることができる。そのため、制御情報を誤認識することを抑制することが可能となる。
【００９２】
さらに、本例では入力される符号化信号が全て同じ変調方法で変調されているため、デマッピング部２６１，２６２、第１デマッピング部２６４で行う復調方法を全て同じ復調方法にすることができる。そのため、復号化部２６ａの構成、ひいては受信装置２０の構成が複雑化することを抑制することが可能となる。
【００９３】
なお、上述した例では１シンボルが４ビットで、デマッピング部２６１，２６２、第１デマッピング部２６４が１６ＱＡＭに対応した復調を行う場合を例に挙げて説明したが、上述した符号化部６ａ，６ｂについて説明したように、本発明はこの例に限られるものではない。
【００９４】
［第２実施例］
また、図２の受信装置２０に備えられる復号化部２６の第２実施例について図面を参照して説明する。図８は、本発明の実施形態における受信装置に備えられる復号化部の第２実施例の構成を示すブロック図であり、第１実施例について示した図７に相当するものである。なお、図７と同様の部分については同じ符号を付し、その詳細な説明については省略する。また、具体例として示す情報についても図７と同様のものとしている。
【００９５】
また、本例の復号化部２６ｂには、図４（ａ）に示した変調方法で変調された符号化信号と、図５（ａ）に示した変調方法で変調された符号化信号と、が入力されるものとする。特に、デマッピング部２６１，２６２は第１実施例と同様であり、図４（ａ）に示した変調方法で変調された符号化信号が入力される。一方、後述する第２デマッピング部２６７には、図５（ａ）に示した変調方法で変調された符号化信号が入力されることとする。
【００９６】
本例は、第１実施例と分離デマッピング部２６３ｂの構成のみが異なり、他の構成については同様のものとなる。そのため、主に分離デマッピング部２６３ｂについて説明する。分離デマッピング部２６３ｂは、ＦＦＴ部２５から入力される符号化信号を復調する第２デマッピング部２６７と、第２デマッピング部２６７から出力される情報から制御情報とデータ情報とを分けて出力する情報抽出部２６８と、を備える。
【００９７】
第２デマッピング部２６７には、図５（ａ）に示した変調方法で変調された符号化信号が入力される。そして、第２デマッピング部２６７は、第１実施例の第１デマッピング部２６４と異なり、復調する際に３ビットの情報「００１」を出力する。そして、情報抽出部２６８は、入力される情報「００１」から制御情報「０」を抽出してデインタリーバ２８ｂに出力する。また、データ情報「０１」をＰ／Ｓ変換部２７に出力する。
【００９８】
このように構成することによって、抽出した制御情報を削除する処理を行うことなく、第２デマッピング部２６７において直接的に制御情報及びデータ情報を得ることが可能となる。したがって、復号化部２６ｂの構成、ひいては受信装置２０の構成が複雑化することを抑制することが可能となる。
【００９９】
なお、図５（ａ）に示した変調方法で変調した符号化信号を復調する場合について示したが、図５（ｂ）に示す変調方法で変調した符号化信号を復調する場合にも、本例の構成とすることができる。この場合、第１象限及び第３象限のいずれの範囲内にシンボル位置Ｓがあるかを判定し、それによって制御情報である１ビットの値を決めることとする。
【０１００】
また、第１及び第２実施例の復号化部２６ａ，２６ｂでは、多重化される符号化信号の数が３つであり、この中の１つに制御情報が挿入される場合について示したが、上述した符号化部６ａ，６ｂと同様に、本発明はこの例に限られるものではない。
【０１０１】
＜変形例＞
上述した送信装置１及び受信装置２０を、１つの装置としても構わない。即ち、送受信を行うことができる通信装置としても構わない。また、その場合アンテナ１１，２１を共通のものとしても構わない。
【０１０２】
また、比較的重要な情報の例として制御情報、比較的重要ではない情報の例としてデータ情報を挙げたが、本発明はこれに限られるものではない。例えば、制御情報の代わりに、既知の値であるパイロット情報を伝送することとしても構わない。このように構成すると、移動体通信などのように伝送信号が歪みやすくフェージングなどが発生し易い状況下においても、受信側で正確に歪みを補正することが可能となる。
【０１０３】
また、上述した送信装置１及び受信装置２０において、符号化部６や復号化部２６が行う処理を、マイコンなどの制御装置が行うこととしても構わない。さらに、このような制御装置によって実現される機能の全部または一部をプログラムとして記述し、該プログラムをプログラム実行装置（例えばコンピュータ）上で実行することによって、その機能の全部または一部を実現するようにしても構わない。
【０１０４】
また、上述した場合に限らず、送信装置１及び受信装置２０は、ハードウェア、あるいは、ハードウェアとソフトウェアの組み合わせによって実現可能である。また、ソフトウェアを用いて送信装置１や受信装置２０を構成する場合、ソフトウェアにて実現される部位についてのブロック図は、その部位の機能ブロック図を表すこととする。
【０１０５】
以上、本発明における実施形態についてそれぞれ説明したが、本発明の範囲はこれに限定されるものではなく、発明の主旨を逸脱しない範囲で種々の変更を加えて実行することができる。
【産業上の利用可能性】
【０１０６】
本発明は、情報を符号化して伝送信号を得る符号化装置やこれを備える送信装置に関する。また、伝送信号を復号化して情報を得る復号化装置やこれを備える受信装置に関する。特に、比較的重要な情報と、比較的重要ではない情報を符号化及び復号化する符号化装置、復号化装置に適用すると好適である。
【図面の簡単な説明】
【０１０７】
【図１】は、本発明の実施形態における送信装置の構成を示すブロック図である。
【図２】は、本発明の実施形態における受信装置の構成を示すブロック図である。
【図３】は、本発明の実施形態における送信装置に備えられる符号化部の第１実施例の構成を示すブロック図である。
【図４】は、本発明の実施形態における符号化部の変調方法について示すコンステレーションである。
【図５】は、本発明の実施形態における符号化部の変調方法の別例について示すコンステレーションである。
【図６】は、本発明の実施形態における送信装置に備えられる符号化部の第２実施例の構成を示すブロック図である。
【図７】は、本発明の実施形態における受信装置に備えられる復号化部の構成を示すブロック図である。
【図８】は、本発明の実施形態における受信装置に備えられる復号化部の第２実施例の構成を示すブロック図である。
【図９】は、従来の符号化装置の構成を示すブロック図である。
【図１０】は、従来の符号化装置の変調方法について示すコンステレーションである。
【符号の説明】
【０１０８】
１    送信装置
２ａ，２ｂ  スクランブラ
３ａ，３ｂ  ＦＥＣ符号化部
４ａ，４ｂ  インタリーバ
５    Ｓ／Ｐ変換部
６    符号化部
６１，６２，６６  マッピング部
６３ａ，６３ｂ  付加マッピング部
６４    情報複製部
６５    情報挿入部
６７    第１変調部
６８    第２変調部
７    ＩＦＦＴ部
８    ＧＩ付加部
９    Ｄ／Ａ変換部
１０    送信部
１１    アンテナ
２０    受信装置
２１    アンテナ
２２    受信部
２３    Ａ／Ｄ変換部
２４    ＧＩ除去部
２５    ＦＦＴ部
２６    復号化部
２６１，２６２  デマッピング部
２６３ａ，２６３ｂ  分離デマッピング部
２６４    第１デマッピング部
２６５，２６８  情報抽出部
２６６    情報削除部
２６７    第２デマッピング部
２７    Ｐ／Ｓ変換部
２８ａ，２８ｂ  デインタリーバ
２９ａ，２９ｂ  誤り訂正部
３０ａ，３０ｂ  デスクランブラ
【図１】
2009246609.tif 000003
【図２】
2009246609.tif 000004
【図３】
2009246609.tif 000005
【図４】
2009246609.tif 000006
【図５】
2009246609.tif 000007
【図６】
2009246609.tif 000008
【図７】
2009246609.tif 000009
【図８】
2009246609.tif 000010
【図９】
2009246609.tif 000011
【図１０】
2009246609.tif 000012